【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
コンピューティング・デバイスが、場所に対応する複数のロケーション更新情報を選択する工程であって、前記複数のロケーション更新情報は、１以上のユーザから受信され、各ロケーション更新情報は、
ユーザが存在していた地理的ロケーションを示すデータと、
前記ユーザが前記地理的ロケーションに存在していた時刻を示すタイムスタンプと、を含む、選択する工程と、
コンピューティング・デバイスが、前記ロケーション更新情報の第１のサブセットを選択する工程であって、前記第１のサブセット内の前記ロケーション更新情報は、地理的区域内の地理的ロケーションに対応する、選択する工程と、
コンピューティング・デバイスが、前記第１のサブセット内の前記ロケーション更新情報のうちの１以上の各々について、
前記ロケーション更新情報に対応する前記ユーザと、
前記ロケーション更新情報に対応する前記時刻と、を決定する工程と、
コンピューティング・デバイスが、前記ロケーション更新情報の第２のサブセットを選択する工程であって、前記第２のサブセット内の前記ロケーション更新情報の各々は、
前記第１のサブセット内のロケーション更新情報に対応するユーザと、
前記第１のサブセット内の前記ロケーション更新情報に対応する前記時刻の閾値時間内の時刻と、に対応する、選択する工程と、
コンピューティング・デバイスが、前記第２のサブセット内の前記ロケーション更新情報に対応する地理的ロケーションの分布に基づいて、確率マップを生成する工程と、
コンピューティング・デバイスが、前記確率マップに少なくとも部分的に基づいて、前記場所に対応する１以上の境界を定義する工程と、を備える、方法。
【請求項２】
コンピューティング・デバイスの１以上のマップ・データ・ストア内に前記１以上の境界を記憶する工程をさらに備える、請求項１に記載の方法。
【請求項３】
前記第１のサブセットの前記地理的区域は、前記複数のロケーション更新情報に対応する地理的ロケーションのロケーション分布の重心領域を含み、
前記重心領域は、前記ロケーション分布の重心点に対して所定の半径によって定義される、請求項１または２に記載の方法。
【請求項４】
前記重心領域は、前記地理分布の所定の割合が前記重心領域から所定の距離内に存在する形状によって定義される、請求項１〜３のいずれか１項に記載の方法。
【請求項５】
前記複数のロケーション更新情報は、所定の期間中に受信される、請求項１〜４のいずれか１項に記載の方法。
【請求項６】
各ロケーション更新情報は、前記ユーザに関連付けられているユーザ情報をさらに含む、請求項１〜５のいずれか１項に記載の方法。
【請求項７】
前記複数のロケーション更新情報は、前記１以上のユーザの１以上の人口統計学的特徴によってフィルタリングされる、請求項６に記載の方法。
【請求項８】
前記場所は、経路であり、
経路に沿った前記複数のロケーション更新情報は、各ロケーション更新情報について計算された移動速度に基づいて決定される、請求項１〜７のいずれか１項に記載の方法。
【請求項９】
前記場所は、前記コンピューティング・デバイスによってアクセス可能な１以上のマップ・データ・ストアにおいて定義される地理的区域に関連付けられる、請求項１〜８のいずれか１項に記載の方法。
【請求項１０】
前記場所は、前記コンピューティング・デバイスによってアクセス可能な１以上のマップ・データ・ストアにおいて定義される地理的区域に関連付けられておらず、
前記地理的区域および前記場所は、前記コンピューティング・デバイスによってアクセス可能な１以上のマップ・データ・ストアに対して加えられ、および／または、前記地理的区域および前記場所は、前記地理的区域からロケーション更新情報を送信するユーザの１以上の人口統計学的特徴にさらに関連付けられる、請求項１〜９のいずれか１項に記載の方法。
【請求項１１】
前記地理的区域内のロケーション更新情報に対応する１以上のユーザへクエリを送信する工程であって、前記クエリは、前記地理的区域に関連付けられている情報をさらに定義することを求める要求を含む、送信する工程をさらに備える、請求項１０に記載の方法。
【請求項１２】
前記確率マップとロケーション更新情報の前記第２のサブセットとの比較に少なくとも部分的に基づいて、前記確率マップを検証する工程をさらに備え、
前記確率マップは、前記比較に少なくとも部分的に基づいて調整され、および／または、
前記１以上の境界は、前記比較に少なくとも部分的に基づいて調整される、請求項１〜１１のいずれか１項に記載の方法。
【請求項１３】
ソフトウェアを具現化する１以上のコンピュータ読取可能な非一時的な記憶媒体であって、前記ソフトウェアは、実行されるとき、請求項１〜１２のいずれか１項に記載の方法を実行するように構成される、記憶媒体。
【請求項１４】
１以上のプロセッサと、前記プロセッサに対して結合され、前記プロセッサによって実行可能な命令を含む少なくとも１つのメモリとを備え、前記プロセッサは、前記命令を実行するときに、請求項１〜１２のいずれか１項に記載の方法を実行するように構成される、システム。
【請求項１５】
コンピュータ読取可能な非一時的な記憶媒体を備える、コンピュータ・プログラム製品
であって、データ処理システム上で実行されるとき、請求項１〜１２のいずれか１項に記載の方法を実行するように構成される、コンピュータ・プログラム製品。
【請求項１６】
前記重心領域は、前記ロケーション分布の重心点に対して所定の半径によって定義される、請求項３に記載の方法。
【請求項１７】
前記重心領域は、前記地理分布の所定の割合が前記重心領域から所定の距離内に存在する形状によって定義される、請求項１６に記載の方法。
【請求項１８】
前記場所は、経路である、請求項１に記載の方法。
【請求項１９】
経路に沿った前記複数のロケーション更新情報は、各ロケーション更新情報について計算された移動速度に基づいて決定される、請求項１８に記載の方法。
【請求項２０】
前記場所は、前記コンピューティング・デバイスによってアクセス可能な１以上のマップ・データ・ストアにおいて定義される地理的区域に関連付けられる、請求項１に記載の方法。
【請求項２１】
前記場所は、前記コンピューティング・デバイスによってアクセス可能な１以上のマップ・データ・ストアにおいて定義される地理的区域に関連付けられない、請求項１に記載の方法。
【請求項２２】
前記地理的区域および前記場所は、前記コンピューティング・デバイスによってアクセス可能な１以上のマップ・データ・ストアに対して加えられる、請求項２１に記載の方法。
【請求項２３】
前記地理的区域および前記場所は、前記地理的区域からロケーション更新情報を送信するユーザの１以上の人口統計学的特徴にさらに関連付けられる、請求項２２に記載の方法。
【請求項２４】
前記地理的区域内のロケーション更新情報に対応する１以上のユーザへクエリを送信する工程であって、前記クエリは、前記地理的区域に関連付けられている情報をさらに定義することを求める要求を含む、送信する工程をさらに備える、請求項２２に記載の方法。
【請求項２５】
前記確率マップとロケーション更新情報の前記第２のサブセットとの比較に少なくとも部分的に基づいて、前記確率マップを検証する工程をさらに備える、請求項１に記載の方法。
【請求項２６】
前記確率マップは、前記比較に少なくとも部分的に基づいて調整される、請求項２５に記載の方法。
【請求項２７】
前記１以上の境界は、前記比較に少なくとも部分的に基づいて調整される、請求項２５に記載の方法。
【請求項２８】
ソフトウェアを具現化する１以上の非一時的なコンピュータ読取可能な記憶媒体であって、前記ソフトウェアは、実行されるとき、
場所に対応する複数のロケーション更新情報を選択する工程であって、前記複数のロケーション更新情報は、１以上のユーザから受信され、各ロケーション更新情報は、
ユーザが存在していた地理的ロケーションを示すデータと、
前記ユーザが前記地理的ロケーションに存在していた時刻を示すタイムスタンプと、
を含む、選択する工程と、
前記ロケーション更新情報の第１のサブセットを選択する工程であって、前記第１のサブセット内の前記ロケーション更新情報は、地理的区域内の地理的ロケーションに対応する、選択する工程と、
前記第１のサブセット内の前記ロケーション更新情報のうちの１以上の各々について、
前記ロケーション更新情報に対応する前記ユーザと、
前記ロケーション更新情報に対応する前記時刻と、を決定する工程と、
前記ロケーション更新情報の第２のサブセットを選択する工程であって、前記第２のサブセット内の前記ロケーション更新情報の各々は、
前記第１のサブセット内のロケーション更新情報に対応するユーザと、
前記第１のサブセット内の前記ロケーション更新情報に対応する前記時刻の閾値時間内の時刻と、に対応する、選択する工程と、
前記第２のサブセット内の前記ロケーション更新情報に対応する地理的ロケーションの分布に基づいて、確率マップを生成する工程と、
前記確率マップに少なくとも部分的に基づいて、前記場所に対応する１以上の境界を定義する工程と、が行われるように構成される、記憶媒体。
【請求項２９】
１以上のプロセッサと、
前記プロセッサに対して結合され、前記プロセッサによって実行可能な命令を含むメモリとを備えるシステムであって、前記プロセッサは、前記命令を実行するときに、
場所に対応する複数のロケーション更新情報を選択する工程であって、前記複数のロケーション更新情報は、１以上のユーザから受信され、各ロケーション更新情報は、
ユーザが存在していた地理的ロケーションを示すデータと、
前記ユーザが前記地理的ロケーションに存在していた時刻を示すタイムスタンプと、を含む、選択する工程と、
前記ロケーション更新情報の第１のサブセットを選択する工程であって、前記第１のサブセット内の前記ロケーション更新情報は、地理的区域内の地理的ロケーションに対応する、選択する工程と、
前記第１のサブセット内の前記ロケーション更新情報のうちの１以上の各々について、
前記ロケーション更新情報に対応する前記ユーザと、
前記ロケーション更新情報に対応する前記時刻と、を決定する工程と、
前記ロケーション更新情報の第２のサブセットを選択する工程であって、前記第２のサブセット内の前記ロケーション更新情報の各々は、
前記第１のサブセット内のロケーション更新情報に対応するユーザと、
前記第１のサブセット内の前記ロケーション更新情報に対応する前記時刻の閾値時間内の時刻と、に対応する、選択する工程と、
前記第２のサブセット内の前記ロケーション更新情報に対応する地理的ロケーションの分布に基づいて、確率マップを生成する工程と、
前記確率マップに少なくとも部分的に基づいて、前記場所に対応する１以上の境界を定義する工程と、が行われるように構成される、システム。